(57)【要約】【課題】アダプタなどの別部材を用いずに、且つ、残液量を増大させることなく、スリップ接続、ネジロック接続、及び、爪ロック接続をすることができるシリンジを提供する。【解決手段】シリンジ１の口部２０は、本体１１の内腔１２と連通した筒状の挿入部２１と、挿入部を取り囲む筒状のネジロック部３０と、ネジロック部の前端側に設けられた爪ロック部４０とを備える。挿入部の外周面には、前端に近づくにしたがって外径が小さくなるオステーパ面２２が形成されている。ネジロック部の挿入部に対向する面には雌ネジ３３が形成されている。爪ロック部は、挿入部に向かって突出した係合爪４１を備える。【選択図】図１Ａ
2013158598.tif 000002
【特許請求の範囲】
【請求項１】
筒状の本体と前記本体の一端に設けられた口部とを備えた外筒を有するシリンジであって、
前記口部は、前記本体の内腔と連通した筒状の挿入部と、前記挿入部を取り囲む筒状のネジロック部と、前記ネジロック部の前端側に設けられた爪ロック部とを備え、
前記挿入部の外周面には、前端に近づくにしたがって外径が小さくなるオステーパ面が形成されており、
前記ネジロック部の前記挿入部に対向する面には雌ネジが形成されており、
前記爪ロック部は、前記挿入部に向かって突出した係合爪を備えることを特徴とするシリンジ。
【請求項２】
前記ネジロック部及び前記爪ロック部は、前記本体に一体的に形成されている請求項１に記載のシリンジ。
【請求項３】
前記挿入部は前記ネジロック部よりも前側に突出している請求項１又は２に記載のシリンジ。
【請求項４】
前記オステーパ面はＩＳＯ５９４−１に準拠する請求項１〜３のいずれかに記載のシリンジ。
【請求項５】
前記雌ネジはＩＳＯ５９４−２に準拠する請求項１〜４のいずれかに記載のシリンジ。
【発明の詳細な説明】
【技術分野】
【０００１】
本発明はシリンジに関する。特に、スリップ型、ネジロック型、及び、爪ロック型のいずれのメスコネクタにも接続することができるシリンジに関する。
【背景技術】
【０００２】
シリンジは、その先端の口部（オスコネクタ）をメスコネクタに接続して、薬液の吸引及び分注、採液、採血など医療分野の様々な用途に使用されている。
【０００３】
シリンジが接続されるメスコネクタとしては種々のタイプが存在する。
【０００４】
図６はスリップ型メスコネクタ７００の一例の斜視図である。このメスコネクタ７００は、略円筒形状を有し、その先端７０１側（オスコネクタが挿入される側）の内周面には、先端７０１に近づくにしたがって内径が大きくなるメステーパ面７０２が形成されている。メスコネクタ７００の基端７０６には、例えば柔軟なチューブや鋭利な先端を有する金属針等が接続される。メステーパ面７０２は、例えばＩＳＯ５９４−１に準拠して形成されている。
【０００５】
図７はネジロック型メスコネクタ８００の一例の斜視図である。このメスコネクタ８００は、略円筒形状を有し、その先端８０１側（オスコネクタが挿入される側）の内周面には、図６に示したメスコネクタ７００の内周面に形成されたメステーパ面７０２と同じメステーパ面８０２が形成されている。更に、本メスコネクタ８００では、その先端８０１側の外周面に、雄ネジ８０３が形成されている。メスコネクタ８００の基端８０６には、例えば柔軟なチューブや鋭利な先端を有する金属針等が接続される。雄ネジ８０３は、例えばＩＳＯ５９４−２に準拠して形成されている。
【０００６】
図９は、図６に示したスリップ型メスコネクタ７００及び図７に示したネジロック型メスコネクタ８００に接続可能な従来のシリンジ５００の斜視図である。このシリンジ５００は、外筒５１０と、外筒５１０に対して押し引き可能に挿入されたプランジャ５９０とを備える。外筒５１０は、筒状の本体５１１と、本体５１１の先端に設けられた口部５２０とを備える。
【０００７】
図１０は、図９に示したシリンジ５００の外筒５１０の口部５２０の拡大断面図である。口部５２０は、外筒５１０内の内腔５１２と連通した筒状の挿入部５２１と、挿入部５２１の周囲に設けられたネジロック部５３０とを備える。挿入部５２１の外周面には、その先端（本体５１１とは反対側端）に近づくにしたがって外径が小さくなるオステーパ面５２２が形成されている。ネジロック部５３０の内周面（挿入部５２１に対向する面）には雌ネジ５３３が形成されている。
【０００８】
口部５２０を図６に示したスリップ型メスコネクタ７００に接続するためには、口部５２０の挿入部５２１をメスコネクタ７００の先端７０１側の開口内に挿入すればよい。挿入部５２１のオステーパ面５２２がメスコネクタ７００のメステーパ面７０２と密着するので、挿入部５２１とメスコネクタ７００とは液密に接続される。口部５２０とメスコネクタ７００との接続状態は、オステーパ面５２２とメステーパ面７０２との間の摩擦力によって維持される。このような接続方式は「スリップ接続」と呼ばれる。
【０００９】
口部５２０を図７に示したネジロック型メスコネクタ８００に接続するためには、口部５２０の挿入部５２１をメスコネクタ８００の先端８０１側の開口内に挿入し、且つ、ネジロック部５３０の雌ネジ５３３をメスコネクタ８００の雄ネジ８０３と螺合させればよい。挿入部５２１のオステーパ面５２２がメスコネクタ８００のメステーパ面８０２と密着するので、挿入部５２１とメスコネクタ８００とは液密に接続される。更に、雌ネジ５３３と雄ネジ８０３とが螺合するので、外力等が加えられても、互いに接続された口部５２０とメスコネクタ８００とが意図せずに分離するのが防止される。このようにネジを用いて接続状態を維持する接続方式は「ネジロック接続」と呼ばれる。
【００１０】
メスコネクタ７００，８００の先端７０１，８０１の外径が大きすぎる等の理由によりメスコネクタ７００，８００がネジロック部５３０と衝突する場合がある。このような場合には、オステーパ面５２２がメステーパ面７０２，８０２と密着するほど深く挿入部５２１をメスコネクタ７００，８００内に挿入することが困難である。このような場合であってもメスコネクタ７００，８００に対してスリップ接続を可能にするために、ネジロック部５３０を外筒５１０とは別部材とし、当該ネジロック部５３０が挿入部５２１の長手方向に移動できるように、ネジロック部５３０を挿入部５２１に外挿したシリンジが提案されている（例えば、特許文献１参照）。
【００１１】
メスコネクタとして、上述したスリップ型メスコネクタ７００（図６参照）やネジロック型メスコネクタ８００（図７参照）の他に、図８Ａ及び図８Ｂに示した爪ロック型メスコネクタ９００が知られている（例えば、特許文献２参照）。図８Ａはメスコネクタ９００の斜視図、図８Ｂは、図８Ａの８Ｂ−８Ｂ線に沿った矢視断面図である。
【００１２】
このメスコネクタ９００は、中央部に直線状のスリット（切り込み）９１１が形成されたゴム等の弾性部材からなる円板状の隔壁部材（以下、「セプタム」という）９１０を備える。セプタム９１０は、基部９０１とキャップ９２０とに挟持され固定されている。スリット９１１はキャップ９２０の中央の開口９２３内に露出している。メスコネクタ９００の外周面は全体として略円筒面であり、この外周面の先端側（オスコネクタが挿入される側）の端縁に、半径方向の外向きに突出した突起である一対の係合爪９２１が形成されている。係合爪９２１は、メスコネクタ９００の周方向に沿って延びている。基部９０１の筒状の基端９０２には例えば柔軟なチューブ等が接続される。あるいは、基部９０１が例えば三方活栓等の他の部材と一体的に形成されていてもよい。このメスコネクタ９００に接続されるオスコネクタは、セプタム９１０のスリット９１１に挿入される筒状の挿入部と、一対の係合爪９２１と係合可能な一対の係合爪とを備えている。挿入部をセプタム９１０のスリット９１１に挿入した状態で、メスコネクタ８００及びオスコネクタのそれぞれの係合爪を互いに係合させる。これにより、外力等が加えられても、互いに接続されたメスコネクタ９００とオスコネクタとが意図せずに分離するのが防止される。このように係合爪を用いて接続状態を維持する接続方式は「爪ロック接続」と呼ばれる。係合爪の係合を解除して挿入部をセプタム９１０から抜き去ると、セプタム９１０のスリット９１１は直ちに閉じる。このようにセプタム９１０はリシール性を有し、挿入部を繰り返し抜き差しすることができる。
【００１３】
オスコネクタが鋭利な先端を有する金属針や樹脂針を備える場合には、作業者がオスコネクタの鋭利な先端を誤って指などに穿刺してしまう誤穿刺や、これによって生じる感染等の危険性を排除できない。セプタム９１０には、オスコネクタを挿入するためのスリット９１１が予め形成されているので、オスコネクタが鋭利な先端を備える必要がない。従って、メスコネクタ９００は、誤穿刺や感染の低減に有利である。
【００１４】
図９及び図１０に示した従来のシリンジ５００の口部５２０を、図８Ａ及び図８Ｂに示した爪ロック型メスコネクタ９００に接続しようとすると、挿入部５２１の周囲のネジロック部５３０がキャップ９２０に衝突するので、挿入部５２１をセプタム９１０のスリット９１１に深く挿入することができない。従って、口部５２０とメスコネクタ９００との接続は事実上不可能である。
【００１５】
ネジロック部５３０を外筒５１０とは別部材とした特許文献１に記載されたシリンジであれば、ネジロック部５３０がキャップ９２０と衝突しないように、ネジロック部５３０を本体５１１側に移動（退避）させることができる。これにより、挿入部５２１をセプタム９１０のスリット９１１に深く挿入することが可能である。従って、特許文献１に記載されたシリンジは、図８Ａ及び図８Ｂに示したメスコネクタ９００とスリップ接続することが可能である。
【００１６】
しかしながら、特許文献１に記載されたシリンジと図８Ａ及び図８Ｂに示したメスコネクタ９００とを、係合爪９２１を利用した爪ロック接続することはできない。
【００１７】
血液や抗がん剤などが漏出することは、作業者に危険が及ぶ可能性があるので回避しなければならない。従って、血液や抗がん剤などを扱う医療用コネクタには、意図せずに分離することがないように、ロック機構が設けられることが推奨される。
【００１８】
そこで、図９及び図１０に示した従来のシリンジ５００の口部５２０を、図８Ａ及び図８Ｂに示した爪ロック型メスコネクタ９００に爪ロック接続するために、図１１に示すアダプタ６００が使用される。図１２Ａは、図９及び図１０に示した従来のシリンジ５００の口部５２０に接続されたアダプタ６００の斜視図である。図１２Ｂは、図１２Ａの１２Ｂ−１２Ｂ線に沿ったアダプタ６００の矢視断面図である。このアダプタ６００は、略円筒形状を有する筒状体６１０と、筒状体６１０が挿入されたロックナット６３０とを備える。
【００１９】
筒状体６１０の先端側は、セプタム９１０のスリット９１１（図８Ａ、図８Ｂを参照）に挿入される挿入部６１１である。挿入部６１１の外周面には、先端に近づくにしたがって外径が小さくなるオステーパ面６１２が形成されている。筒状体６１０の基端側は、シリンジ５００の口部５２０と接続される接続部６２０である。接続部６２０の内周面には、シリンジ５００の挿入部５１２のオステーパ面５２２と密着可能なメステーパ面６２２が形成されている。接続部６２０の外周面には、シリンジ５００の口部５２０のネジロック部５３０に形成された雌ネジ５３３と螺合可能な雄ネジ６２３が形成されている。図１２Ｂに示されているように、筒状体６１０の接続部６２０を口部５２０にネジロック接続することにより、アダプタ６００とシリンジ５００とが接続される。
【００２０】
ロックナット６３０は、略円筒形状を有する筒状部６３１と、筒状部６３１の一端に設けられたフランジ部６３５及び爪ロック部６４０とを有している。フランジ部６３５は、筒状部６３１の一端から半径方向に沿って外向きに延びた円環状の板材である。爪ロック部６４０は、フランジ部６３５の外周縁から先端側に向かって突出している。爪ロック部６４０の内周面（筒状体６１０に対向する面）には、周方向に延びた一対の係合爪６４１が形成されている。筒状部６３１の内周面には、雌ネジ６３３が形成されている。
【００２１】
筒状体６１０がロックナット６３０を貫通している。ロックナット６３０は、図１２Ｂから理解できるように、筒状体６１０に対してその長手方向に沿った移動は制限されるが、筒状体６１０の回りを自由に回転することは可能である。
【００２２】
アダプタ６００と図８Ａ及び図８Ｂに示した爪ロック型メスコネクタ９００との爪ロック接続は以下のようにして行う。挿入部６１１をメスコネクタ９００のセプタム９１０のスリット９１１に挿入し、ロックナット６３０のフランジ部６３５ををメスコネクタ９００のキャップ９２０に押し付けながら回転させて、ロックナット６３０の一対の係合爪６４１をメスコネクタ９００の一対の係合爪９２１に係合させる。かくして、アダプタ６００とメスコネクタ９００とが爪ロック接続される。
【００２３】
以上のように、図９及び図１０に示した従来のシリンジ５００は、図６に示したスリップ型メスコネクタ７００とスリップ接続することができ、図７に示したネジロック型メスコネクタ８００とネジロック接続することができ、更に、アダプタ６００（図１１参照）を用いることにより図８Ａ及び図８Ｂに示した爪ロック型メスコネクタ９００と爪ロック接続することができる。
【先行技術文献】
【特許文献】
【００２４】
【特許文献１】特許第４５２２０７１号明細書
【特許文献２】特許第３３８９９８３号明細書
【発明の概要】
【発明が解決しようとする課題】
【００２５】
上述したように、図９及び図１０に示した従来のシリンジ５００を、図８Ａ及び図８Ｂに示した爪ロック型メスコネクタ９００に爪ロック接続する場合には、シリンジ５００の口部５２０にアダプタ６００を接続しなければならない。従って、シリンジ５００とメスコネクタ９００とを接続するための作業が煩雑であるという課題がある。また、シリンジ５００とは別にアダプタ６００が必要であるため、コストが上昇する、アダプタ６００を紛失しないように保管しておく必要がある、等の課題がある。
【００２６】
更に、図１２Ｂから容易に理解できるように、口部５２０にアダプタ６００を接続することによって、筒状体６１０の内容積分だけ残液量が増えるという課題もある。残液量が多いと、例えば、所望する量の薬液を患者に投与することができず、また、薬液損失が多くなる。
【００２７】
本発明は、上記の従来のシリンジの課題を解決するものであり、アダプタなどの別部材を用いずに、且つ、残液量を増大させることなく、スリップ接続、ネジロック接続、及び、爪ロック接続をすることができるシリンジを提供することを目的とする。
【課題を解決するための手段】
【００２８】
本発明のシリンジは、筒状の本体と前記本体の一端に設けられた口部とを備えた外筒を有する。前記口部は、前記本体の内腔と連通した筒状の挿入部と、前記挿入部を取り囲む筒状のネジロック部と、前記ネジロック部の前端側に設けられた爪ロック部とを備える。前記挿入部の外周面には、前端に近づくにしたがって外径が小さくなるオステーパ面が形成されている。前記ネジロック部の前記挿入部に対向する面には雌ネジが形成されている。前記爪ロック部は、前記挿入部に向かって突出した係合爪を備える。
【発明の効果】
【００２９】
本発明によれば、口部が、オステーパ面が形成された挿入部と、雌ネジが形成されたネジロック部と、係合爪が形成された爪ロック部とを備えるので、アダプタのような別部材を用いることなく、スリップ接続、ネジロック接続、及び、爪ロック接続をすることができる。
【００３０】
また、上記のいずれの接続を行う場合であっても、口部をメスコネクタに直接接続することができるので、残液量が増大することはない。
【図面の簡単な説明】
【００３１】
【図１Ａ】図１Ａは、本発明の一実施形態にかかるシリンジの斜視図である。
【図１Ｂ】図１Ｂは、図１Ａの１Ｂ−１Ｂ線に沿った、本発明の一実施形態にかかるシリンジの矢視断面図である。
【図２Ａ】図２Ａは、本発明の一実施形態にかかるシリンジの口部の上方から見た拡大斜視図である。
【図２Ｂ】図２Ｂは、本発明の一実施形態にかかるシリンジの口部の下方から見た拡大斜視図である。
【図２Ｃ】図２Ｃは、図２Ａの２Ｃ−２Ｃ線に沿った、本発明の一実施形態にかかるシリンジの口部の矢視拡大断面図である。
【図２Ｄ】図２Ｄは、図２Ａの２Ｄ−２Ｄ線に沿った、本発明の一実施形態にかかるシリンジの口部の矢視拡大断面図である。
【図３Ａ】図３Ａは、スリップ型メスコネクタにスリップ接続した本発明の一実施形態にかかるシリンジの口部及びその近傍の拡大斜視図である。
【図３Ｂ】図３Ｂは、図３Ａの３Ｂ−３Ｂ線に沿った、スリップ型メスコネクタにスリップ接続した本発明の一実施形態にかかるシリンジの口部及びその近傍の矢視拡大断面図である。
【図４Ａ】図４Ａは、ネジロック型メスコネクタにネジロック接続した本発明の一実施形態にかかるシリンジの口部及びその近傍の拡大斜視図である。
【図４Ｂ】図４Ｂは、図４Ａの４Ｂ−４Ｂ線に沿った、ネジロック型メスコネクタにネジロック接続した本発明の一実施形態にかかるシリンジの口部及びその近傍の矢視拡大断面図である。
【図５Ａ】図５Ａは、爪ロック型メスコネクタに爪ロック接続した本発明の一実施形態にかかるシリンジの口部及びその近傍の拡大斜視図である。
【図５Ｂ】図５Ｂは、図５Ａの５Ｂ−５Ｂ線に沿った、爪ロック型メスコネクタに爪ロック接続した本発明の一実施形態にかかるシリンジの口部及びその近傍の矢視拡大断面図である。
【図６】図６は、従来のスリップ型メスコネクタの一例の斜視図である。
【図７】図７は、従来のネジロック型メスコネクタの一例の斜視図である。
【図８Ａ】図８Ａは、従来の爪ロック型メスコネクタの一例の斜視図である。
【図８Ｂ】図８Ｂは、図８Ａに示した従来の爪ロック型メスコネクタの８Ｂ−８Ｂ線に沿った矢視断面図である。
【図９】図９は、従来のシリンジの一例の斜視図である。
【図１０】図１０は、図９に示した従来のシリンジの口部の拡大断面図である。
【図１１】図１１は、図９に示した従来のシリンジを図８Ａ及び図８Ｂに示した爪ロック型メスコネクタに接続するためのアダプタの斜視図である。
【図１２Ａ】図１２Ａは、図９に示した従来のシリンジに接続された、図１１に示したアダプタの斜視図である。
【図１２Ｂ】図１２Ｂは、図１２Ａの１２Ｂ−１２Ｂ線に沿ったアダプタの矢視断面図である。
【図１３】図１３は、従来の別のネジロック型メスコネクタの斜視図である。
【発明を実施するための形態】
【００３２】
上記の本発明のシリンジにおいて、前記ネジロック部及び前記爪ロック部は、前記外筒に一体的に形成されていてもよい。これにより、ネジロック接続及び爪ロック接続やその解除を行う場合には、メスコネクタに対して外筒を回転させればよい。従って、接続及びその解除の作業性向上に有利である。
【００３３】
前記挿入部は前記ネジロック部よりも前側に突出していてもよい。これにより、口部を爪ロック型メスコネクタに爪ロック接続する場合に、挿入部をセプタムのスリットに確実に挿入することができる。
【００３４】
前記オステーパ面はＩＳＯ５９４−１に準拠していてもよい。これにより、ＩＳＯ５９４−１に準拠したメステーパ面を有するメスコネクタと、液密な接続を行うことができる。
【００３５】
前記雌ネジはＩＳＯ５９４−２に準拠していてもよい。これにより、ＩＳＯ５９４−２に準拠した雄ネジを有するメスコネクタと良好なネジロック接続を行うことができる。
【００３６】
以下に、本発明を好適な実施形態を示しながら詳細に説明する。但し、本発明は以下の実施形態に限定されないことはいうまでもない。以下の説明において参照する各図は、説明の便宜上、本発明の実施形態の構成部材のうち、本発明を説明するために必要な主要部材のみを簡略化して示したものである。従って、本発明は以下の各図に示されていない任意の構成部材を備え得る。また、以下の各図中の部材の寸法は、実際の構成部材の寸法および各部材の寸法比率等を忠実に表したものではない。
【００３７】
図１Ａは、本発明の一実施形態にかかるシリンジ１の側面図、図１Ｂは、図１Ａの１Ｂ−１Ｂ線に沿ったシリンジ１の断面図である。これらの図において、一点鎖線１ａはシリンジ１の中心軸であり、図１Ｂの断面はこの中心軸１ａを含む。シリンジ１は、外筒１０と、外筒１０に対して押し引き可能に挿入されたプランジャ９０とを備えている。外筒１０及びプランジャ９０の各中心軸は、シリンジ１の中心軸１ａと一致する。
【００３８】
外筒１０は、筒状（好ましくは円筒形状）の本体１１を備える。本体１１の一端には口部２０が、本体１１の他端には指掛け用のフランジ１５が、それぞれ本体１１と一体的に形成されている。以下の説明の便宜のために、シリンジ１の中心軸１ａの方向を「前後」方向と呼び、また、口部２０の側を「前」側、口部２０とは反対側（後述する指当て部９１側）を「後ろ」側と呼ぶ。更に、中心軸１ａに直交する方向を「半径方向」、中心軸１ａの回りを回転する方向を「周方向」と呼ぶ。
【００３９】
口部２０を図２Ａ〜図２Ｄを用いて説明する。図２Ａは口部２０の上方から見た拡大斜視図、図２Ｂはその下方から見た拡大斜視図、図２Ｃは図２Ａの２Ｃ−２Ｃ線に沿った矢視拡大断面図、図２Ｄは図２Ａの２Ｄ−２Ｄ線に沿った矢視拡大断面図である。図２Ｃ、図２Ｄでは、図面を簡単化するためにプランジャ９０（図１Ｂ参照）の図示を省略している。
【００４０】
口部２０は、本体１１の内腔１２と連通した筒状の挿入部（雄ルアー）２１と、挿入部２１を取り囲む筒状のネジロック部３０と、ネジロック部の前端側に設けられた爪ロック部４０とを備える。
【００４１】
挿入部２１の外周面（中心軸１ａとは反対側の面）には、前端に近づくにしたがってその外径が小さくなるオステーパ面（円錐面）２２が形成されている。オステーパ面２２は、ＩＳＯ５９４−１に規定された１００分の６テーパー面であってもよい。
【００４２】
ネジロック部３０は、挿入部２１から半径方向に離間して設けられている。筒状のネジロック部３０の内周面（挿入部２１に対向する面）には雌ネジ３３が形成されている。雌ネジ３３を含むネジロック部３０及びネジロック部３０と挿入部２１との相対的位置関係は、ＩＳＯ５９４−２に準拠して形成することができる。
【００４３】
ネジロック部３０の前端には、半径方向に沿って外向きに延びた円環状の板材であるフランジ部３５が設けられている。フランジ部３５の前側に向いた面は略平面である。
【００４４】
爪ロック部４０は、フランジ部３５の外周縁に、前方に向かって突出して設けられている。爪ロック部４０の内周面（挿入部２１に対向する面）には、周方向に延びた係合爪４１と、係合爪４１の周方向の一端からフランジ部３５側に延びたストッパ部４３とが形成されている。係合爪４１とストッパ部４３とからなる対は、中心軸１ａに対して回転対称となるように２対設けられている。係合爪４１及びストッパ部４３は、爪ロック部４０の内周面において、中心軸１ａに向かって突出しており、係合爪４１及びストッパ部４３の中心軸１ａに向いた面は、中心軸１ａを中心軸とする共通する円筒面を構成する。本実施形態では、爪ロック部４０は、係合爪４１及びストッパ部４３が形成された２つの円弧状部分に分断されているが、例えば略円筒面状に周方向に連続していてもよい。
【００４５】
挿入部２１の前端は、ネジロック部３０（またはフランジ部３５）よりも前側に突出している。さらに、本実施形態のように、係合爪４１よりも前側に突出していてもよい。
【００４６】
図１Ｂに戻り、プランジャ９０は、その後端にフランジ状に拡径した指当て部９１が一体的に形成された棒状物である。プランジャ９０の前端にはガスケット９５が取り付けられている。外筒１０のフランジ１５側の開口にプランジャ９０の前端を挿入する。ガスケット９５は、外筒１０の本体１１の内周面との間に液密なシールを形成しながら、本体１１の内周面上を中心軸１ａ方向に摺動する。
【００４７】
外筒１０の材料は、特に制限はないが、例えば、透明性が高く、耐薬品性の高い樹脂を用いることができる。例えば、環状ポリオレフィン、ポリカーボネート、ポリエチレンテレフタレート、ポリプロピレン等が好ましい。
【００４８】
プランジャ９０の材料は、特に制限はないが、例えば、環状ポリオレフィン、ポリカーボネート、ポリエチレンテレフタレート、ポリプロピレン、ポリアセタール等の樹脂が好ましい。
【００４９】
外筒１０及びプランジャ９０は、それぞれ上記の樹脂を用いて射出成型等により一体的に形成することができる。
【００５０】
ガスケット９５の材料は、特に制限はないが、例えば、ブチルゴム、イソプレンゴム、スチレン系熱可塑性エラストマー等が好ましい。
【００５１】
以上のように構成された本実施形態のシリンジ１の、スリップ接続、ネジロック接続、及び、爪ロック接続の各方法を以下に説明する。
【００５２】
最初に、図６に示したスリップ型メスコネクタ７００とのスリップ接続について説明する。図３Ａは、メスコネクタ７００にスリップ接続したシリンジ１の口部２０及びその近傍の拡大斜視図、図３Ｂは、図３Ａの３Ｂ−３Ｂ線に沿った、口部２０及びその近傍の矢視拡大断面図である。実際には、メスコネクタ７００の基端７０６には、例えば柔軟なチューブや鋭利な先端を有する金属針等が接続されているが、これらの図では図面を簡単化するためにそれらの図示を省略している。図３Ａ及び図３Ｂに示されているように、口部２０をメスコネクタ７００に接続するためには、口部２０の挿入部２１をメスコネクタ７００の先端７０１側の開口内に挿入すればよい。メスコネクタ７００の先端７０１は、口部２０の挿入部２１とネジロック部３０との間の隙間に入る。挿入部２１のオステーパ面２２がメスコネクタ７００のメステーパ面７０２と密着するので、挿入部２１とメスコネクタ７００とを液密に接続することができる。従来のスリップ接続と同様に、口部２０とメスコネクタ７００との接続状態は、オステーパ面２２とメステーパ面７０２との間の摩擦力によって維持される。接続された口部２０及びメスコネクタ７００の分離は、シリンジ１とメスコネクタ７００とを互いに逆方向にわずかに回転させながら引っ張ることで可能である。
【００５３】
次に、図７に示したネジロック型メスコネクタ８００とのネジロック接続について説明する。図４Ａは、メスコネクタ８００にネジロック接続したシリンジ１の口部２０及びその近傍の拡大斜視図、図４Ｂは、図４Ａの４Ｂ−４Ｂ線に沿った、口部２０及びその近傍の矢視拡大断面図である。実際には、メスコネクタ８００の基端８０６には、例えば柔軟なチューブや鋭利な先端を有する金属針等が接続されているが、これらの図では図面を簡単化するためにそれらの図示を省略している。図４Ａ及び図４Ｂに示されているように、口部２０をメスコネクタ８００に接続するためには、口部２０の挿入部２１をメスコネクタ８００の先端８０１側の開口内に挿入し、且つ、口部２０の雌ネジ３３をメスコネクタ８００の雄ネジ８０３と螺合させればよい。挿入部２１のオステーパ面２２がメスコネクタ８００のメステーパ面８０２と密着するので、挿入部２１とメスコネクタ８００とを液密に接続することができる。雌ネジ３３と雄ネジ８０３とが螺合するので、従来のネジロック接続と同様に、外力等が加えられても、互いに接続された口部２０とメスコネクタ８００とが意図せずに分離するのが防止される。接続された口部２０及びメスコネクタ８００の分離は、外筒１０をメスコネクタ８００に対して、接続する場合とは逆方向に回転させて雌ネジ３３と雄ネジ８０３との螺合を緩めることで可能である。
【００５４】
図１３は従来の別のネジロック型メスコネクタ８５０の斜視図である。このメスコネクタ８５０は、その先端（オスコネクタが挿入される側）８５１側の外周面に、半径方向に沿って外向きに突出した一対の突起８５３が形成されている点で、図７に示したメスコネクタ８００と異なる。メスコネクタ８５０の先端８５１側の内周面には、メスコネクタ８００の内周面に形成されたメステーパ面８０２と同じメステーパ面８５２が形成されている。メスコネクタ８５０の基端８５６には、例えば鋭利な先端を有する金属針等が接続される。一対の突起８５３を、口部２０の雌ネジ３３に螺合させることができる。従って、本実施形態のシリンジ１は、図７に示したメスコネクタ８００と同様に、図１３に示したメスコネクタ８５０ともネジロック接続することができる。
【００５５】
最後に、図８Ａ及び図８Ｂに示した爪ロック型メスコネクタ９００との爪ロック接続について説明する。図５Ａは、メスコネクタ９００に爪ロック接続したシリンジ１の口部２０及びその近傍の拡大斜視図、図５Ｂは、図５Ａの５Ｂ−５Ｂ線に沿った、口部２０及びその近傍の矢視拡大断面図である。実際には、メスコネクタ９００の基部９０１の基端９０２には例えば柔軟なチューブが接続されていたり、基部９０１が三方活栓のベースと一体的に形成されていたりするが、これらの図では図面を簡単化するためにそれらの図示を省略している。口部２０とメスコネクタ９００との接続は、以下のように行う。口部２０の挿入部２１をメスコネクタ９００のセプタム９１０のスリット９１１に挿入し、口部２０のフランジ部３５をメスコネクタ９００のキャップ９２０に押し付ける。この状態で、メスコネクタ９００に対して外筒１０を回転させて、口部２０の係合爪４１とメスコネクタ９００の係合爪９２１とを係合させる。メスコネクタ９００の係合爪９２１が口部２０のストッパ部４３（図２Ｂ参照）に衝突するまで、メスコネクタ９００に対してシリンジ１を回転させるのが好ましい。かくして、図５Ａ及び図５Ｂに示されているように、口部２０とメスコネクタ９００とを爪ロック接続することができる。セプタム９１０は、挿入部２１が挿入されることにより弾性的に変形して、挿入部２１のオステーパ面２２に密着する。従って、挿入部２１とメスコネクタ９００とを液密に接続することができる。係合爪４１と係合爪９２１とが係合するので、従来の爪ロック接続と同様に、外力等が加えられても、互いに接続された口部２０とメスコネクタ９００とが意図せずに分離するのが防止される。接続された口部２０及びメスコネクタ９００の分離は、外筒１０をメスコネクタ９００に対して、接続する場合とは逆方向に回転させて係合爪４１と係合爪９２１との係合を解除することで可能である。係合爪４１と係合爪９２１との係合が解除されると、セプタム９１０の弾性回復力により挿入部２１がスリット９１１から押し出される。
【００５６】
以上のように、本発明のシリンジ１の口部２０は、オステーパ面２２が形成された挿入部２１と、雌ネジ３３が形成されたネジロック部３０と、係合爪４１が形成された爪ロック部４０とを備える。これにより、アダプタ６００（図１１及び図１２参照）のような別部材を用いることなく、口部２０をメスコネクタに直接接続して、スリップ接続、ネジロック接続、及び、爪ロック接続の３通りの接続を行うことができる。
【００５７】
また、アダプタ６００のような別部材を用いないので、プランジャ９０を外筒１０内に最も深く押し込んだときにメスコネクタ側に移送されない液体量（即ち、残液量）は、上記の３通りの接続方法のいずれにおいても増えることなく一定である。
【００５８】
ネジロック部３０及び爪ロック部４０が外筒１０に一体的に設けられているので、ネジロック接続及び爪ロック接続やその解除を行う場合には、外筒１０（特に本体１１）を保持してメスコネクタに対して外筒１０を回転させればよい。従って、接続及びその解除の作業性が良好である。
【００５９】
上述した実施形態は例示に過ぎない。本発明は上記の実施形態に限定されず、適宜変更することができる。
【００６０】
例えば、挿入部、ネジロック部、爪ロック部の寸法や形状は、それぞれスリップ接続、ネジロック接続、及び、爪ロック接続をするメスコネクタの構成に応じて設定することができる。例えば、ネジロック部を構成する係合爪は、上記の実施形態では、周方向に一直線状に延びていたが、本発明はこれに限定されない。例えばメスコネクタの係合爪と係合する部分に、ジグザグ状の凹凸が設けられていてもよい。また、係合爪の数は２つに限定されず、３つ以上であってもよい。
【００６１】
本発明のシリンジは、口部２０の構成を除いて任意である。例えば、公知のいかなるシリンジにも、本発明を適用することができる。
【００６２】
本発明のシリンジは、予め液体が充填されていない空のシリンジであってもよく、あるいは、予め液体が充填されたいわゆるプレフィルドシリンジであってもよい。プレフィルドシリンジに充填される液体としては、ワクチン等の薬液や生理食塩水など任意の液体を選択できる。
【産業上の利用可能性】
【００６３】
本発明の利用分野は特に制限はなく、薬液の混合や患者への投与、採血などの際に使用されるシリンジとして広範囲に利用することができる。
【符号の説明】
【００６４】
１  シリンジ
１０  外筒
１１  外筒の本体
１２  内腔
２０  口部
２１  挿入部
２２  オステーパ面
３０  ネジロック部
３３  雌ネジ
４０  爪ロック部
４１  係合爪
【図１Ａ】
2013158598.tif 000003
【図１Ｂ】
2013158598.tif 000004
【図２Ａ】
2013158598.tif 000005
【図２Ｂ】
2013158598.tif 000006
【図２Ｃ】
2013158598.tif 000007
【図２Ｄ】
2013158598.tif 000008
【図３Ａ】
2013158598.tif 000009
【図３Ｂ】
2013158598.tif 000010
【図４Ａ】
2013158598.tif 000011
【図４Ｂ】
2013158598.tif 000012
【図５Ａ】
2013158598.tif 000013
【図５Ｂ】
2013158598.tif 000014
【図６】
2013158598.tif 000015
【図７】
2013158598.tif 000016
【図８Ａ】
2013158598.tif 000017
【図８Ｂ】
2013158598.tif 000018
【図９】
2013158598.tif 000019
【図１０】
2013158598.tif 000020
【図１１】
2013158598.tif 000021
【図１２Ａ】
2013158598.tif 000022
【図１２Ｂ】
2013158598.tif 000023
【図１３】
2013158598.tif 000024